(57)【要約】【課題】  スプリンクラーヘッドを覆い隠すスプリンクラーヘッドカバーにおいて、カバープレートの天井面からの突出量を少なくして意匠的に優れ、さらに火災の初期段階でスプリンクラーヘッドが作動可能なスプリンクラーヘッドカバーを提供する。【解決手段】  スプリンクラーヘッドと係合されるハウジング１と、該ハウジング１と接続されてスプリンクラーヘッドを覆い隠すカバープレート３を有し、カバープレート３が球面形状をしており、ハウジング１とカバープレート３の斜面とを低融点合金１３を介して接続される接続手段２を有している。【選択図】    図１
2005270155.tif 000002
【特許請求の範囲】
【請求項１】
スプリンクラーヘッドと係合されるハウジングと、該ハウジングと接続されてスプリンクラーヘッドを覆い隠すカバープレートを有するスプリンクラーヘッドカバーにおいて、カバープレートが球面形状をしており、ハウジングとカバープレートの斜面とを低融点合金を介して接続される接続手段を有していることを特徴とするスプリンクラーヘッドカバー。
【請求項２】
前記接続手段とは、ハウジング接続面と該ハウジング接続面より傾いているカバープレート接続面を有する接合部材であることを特徴とする請求項１記載のスプリンクラーヘッドカバー。
【請求項３】
前記接合部材が断熱材料から形成されているか、または接合部材に断熱材が含まれて構成されており、低融点合金を介してカバープレートと接合していることを特徴とする請求項２記載のスプリンクラーヘッドカバー。
【請求項４】
前記接続手段とは、ハウジングの鍔部に穿設された穴から溶融した低融点合金によってカバープレートが接続されていることを特徴とする請求項１記載のスプリンクラーヘッドカバー。
【請求項５】
前記ハウジングは、断熱材料から形成され、表面に半田付性が良好な材料による皮膜が形成されていることを特徴とする請求項４記載のスプリンクラーヘッドカバー。
【請求項６】
前記ハウジングにおいて、カバープレートが設置される面に、カバープレート内側面から近接した位置に補強部を設けたことを特徴とする請求項１記載のスプリンクラーヘッドカバー。
【発明の詳細な説明】
【技術分野】
【０００１】
本発明は、天井面や壁面に設置されたスプリンクラーヘッドを覆い隠すスプリンクラーヘッドカバーに関するものである。
【背景技術】
【０００２】
従来のスプリンクラーヘッドカバーとして平板形状のカバープレートを有するもの（例えば、特許文献１参照。）と、椀状のカバープレートを有するものがある（例えば、特許文献２参照。）。
【０００３】
平板形状のカバープレートを有するスプリンクラーヘッドカバーは、図１０に示すように天井面に対してフラットであり意匠的に優れたものである。上記のカバープレート４０は、スプリンクラーヘッドＨに取付けられている本体４１と低融点合金４２によって接続しており、火災時に低融点合金４２が溶融することでスプリンクラーヘッドＨが露出される。
【０００４】
椀状のカバープレートを有するスプリンクラーヘッドカバーは、図１１に示すようにスプリンクラーヘッドに取付けられる取付部材５０、スプリンクラーヘッドを覆い隠すカバー部材５１、取付部材５０と椀状のカバー部材５１との間に介装されるバネ材５２、スプリンクラーヘッドの感熱部を保護するプロテクター５３から構成されている。
【０００５】
上記のカバー部材５１は、底面に低融点合金５６によって接合された帯状のフック５４が設けられており、該フック５４をバネ材５２に巻き付けている。バネ材５２は取付部材５０の鍔部に設けられている係止凹部５５に係止されている。プロテクター５３は取付部材５０の鍔部とバネ材５２によって挟持されている。
【０００６】
火災が発生するとカバー部材５１底面の低融点合金５６が溶融して、カバー部材５１とフック５４が分離される。するとバネ材５２の弾性力によってカバー部材５１は落下し、またバネ材５２もカバー部材５１が落下したことで係止凹部５５との係止が外れて落下する。
【０００７】
カバー部材５１およびバネ材５２が落下すると、プロテクター５３も落下し、スプリンクラーヘッドＨが露出され、スプリンクラーヘッドの感熱部５７が天井面より下方に突出した状態となる。
【０００８】
【特許文献１】特開２００３−２１０６０６号公報  （第２−３頁、第１図）
【特許文献２】特開２０００−２７９５４８号公報  （第３−５頁、第８図）
【発明の開示】
【発明が解決しようとする課題】
【０００９】
上記２つのスプリンクラーヘッドカバーにおいて、火災の熱によりカバープレート４０やカバー部材５１が落下した後に、スプリンクラーヘッドカバー内部にあるスプリンクラーヘッドの感熱部が熱を吸収して作動に至るのであるが、特許文献１のスプリンクラーヘッドのように、スプリンクラーヘッドが天井内に埋め込まれた状態であると、火災の熱によって作動に至るまでに時間を要してしまい、その間に火災が拡大してスプリンクラーヘッドが作動しても火災を抑制できないおそれがある。
【００１０】
また、カバープレートが落下してからスプリンクラーヘッドが作動するまでの時間を短縮するために、特許文献２に記載されているようにスプリンクラーヘッドの感熱部５７を天井面から突出させると、突出部分が外力を受ける可能性が高くなり、前述のようにプロテクター５２を設置して外力から保護する必要がある。
【００１１】
そこで本発明では、上記問題に鑑み、天井面からの突出量を少なくして意匠的に優れており、さらに火災の初期段階でスプリンクラーヘッドが作動可能なスプリンクラーヘッドカバーを提供することを目的としている。
【課題を解決するための手段】
【００１２】
上記の目的を達成するために、請求項１記載の発明は、スプリンクラーヘッドと係合されるハウジングと、該ハウジングと接続されてスプリンクラーヘッドを覆い隠すカバープレートを有するスプリンクラーヘッドカバーにおいて、カバープレートが球面形状をしており、ハウジングとカバープレートの斜面とを低融点合金を介して接続される接続手段を有しているスプリンクラーヘッドカバーである。
【００１３】
請求項２記載の発明は、前記接続手段がハウジング接続面と該ハウジング接続面より傾いているカバープレート接続面を有する接合部材である請求項１記載のスプリンクラーヘッドカバーである。
【００１４】
請求項３記載の発明は、前記接合部材が断熱材料から形成されているか、または接合部材に断熱材が含まれて構成されており、低融点合金を介してカバープレートと接合している請求項２記載のスプリンクラーヘッドカバーである。
【００１５】
請求項４記載の発明は、前記接続手段として、ハウジングの鍔部に穿設された穴から溶融した低融点合金によってカバープレートが接続されている請求項１記載のスプリンクラーヘッドカバーである。
【００１６】
請求項５記載の発明は、前記ハウジングが断熱材料から形成され、表面に半田付性が良好な材料による皮膜が形成されている請求項４記載のスプリンクラーヘッドカバーである。
【００１７】
請求項６記載の発明は、前記ハウジングのカバープレートが設置される面に、カバープレート内側面から近接した位置に補強部を設けた請求項１記載のスプリンクラーヘッドカバーである。
【発明の効果】
【００１８】
請求項１記載の発明によれば、カバープレートを球面形状としたことで、平板形状のカバープレートよりも強い強度を有し、さらに前述の椀状のカバープレートよりも天井面からの突出量を少なくできる。
【００１９】
また、火災時にはカバープレートが平面のものより表面積が大きいので熱吸収効率が高く、さらに天井面より若干下方に突出していることで、火災の際に天井面下を漂う熱気流から効率よく熱を吸収することができ、低融点合金の溶融を早めることができる。
【００２０】
請求項２、３記載の発明では、ハウジングとカバープレートとを接続する接合部材が、ハウジング接続面と該接続面より傾いているカバープレート接続面を有することで、カバープレート接続面が、球面形状であるカバープレートの斜面部分とフラットに接触するので低融点合金による接合が強固になる。
【００２１】
また、上記接合部材をステンレス鋼や樹脂等の断熱材料によって形成するか、接合部材に断熱材を介在させることで、カバープレートが吸収した熱をハウジングに伝播させないようにした。これにより低融点合金に熱が集まり、低融点合金の溶融を促すことができる。
【００２２】
請求項４から６記載の発明では、ハウジングの鍔部に穿設された穴に低融点合金片を入れてカバープレートにハウジングを載せた状態で所定温度で一定時間加熱すると、低融点合金片が溶融して穴からカバープレート側に流れる。やがて低融点合金は冷えて固体となり、ハウジングとカバープレートが低融点合金によって接合される。
【００２３】
さらにハウジングを断熱材料から形成し、表面に半田付性が良好な材質による皮膜を施すことで、低融点合金の剥離を防止して接合強度を維持するものである。
【００２４】
また、ハウジングのカバープレート設置面に、カバープレートの補強部を設けたことにより、カバープレート設置後において外力によるカバープレートの変形を防止する効果がある。
【実施例１】
【００２５】
以下、この発明の実施例１を図１から図６を参照して説明する。図１はスプリンクラーヘッドに実施例１のスプリンクラーヘッドカバーを装着した際の断面図である。図２ハウジングの断面図である。図３は接合部材であり（ａ）正面図、（ｂ）側面図、（ｃ）平面図である。図４は接合部材をハウジングに取付けた際の要部拡大図である。図５はカバープレートに接合部材が設置された際の平面図である。図６は火災時にカバープレートの係止が解除された状態の図である。
【００２６】
実施例１のスプリンクラーヘッドカバーは、ハウジング１、接合部材２、カバープレート３から構成されている。
【００２７】
ハウジング１は、弾性を有する材料から形成されており、図１および図２に示すようにスプリンクラーヘッドと係止する円筒部４を有し、円筒部４の下端には接合部材２が取付けられる鍔部５を有する。
【００２８】
円筒部４には、内周面の所定位置に斜め下方に折り曲げられた複数の突起６、６・・・が形成されている。突起６はスプリンクラーヘッドＨの側面に形成されている螺旋溝と螺合され、ハウジング１がスプリンクラーヘッドＨに係止される。
【００２９】
突起６は材料の弾性によって、ある程度の弾性変形が可能である。スプリンクラーヘッドＨへハウジング１を取付ける際には、スプリンクラーヘッドの下端からハウジング１の円筒部４を押し込むと、突起６が螺旋溝の部分で外側に曲がるので鍔部５の上面が天井下面に近接する位置まで押し込むことができ、突起６は螺旋溝に係止される。
【００３０】
その後、スプリンクラーヘッドＨに係止された状態でハウジング１を下方へ引張っても、突起６の先端がスプリンクラーヘッドＨの螺旋溝に引っかかるので、ハウジング１が外れることはない。ハウジング１を取外したい場合は、ハウジング１を回転させて突起６をスプリンクラーヘッドＨの螺旋溝に沿って下方に移動させることで取外すことができる。
【００３１】
鍔部５には、接合部材２が取付けられる複数の差込部７が設けられている。差込部７は鍔部５より下方に形成され、接合部材２が挿通される開口８が差込部７の側面に形成されている。
【００３２】
図３、４に示す接合部材２は、ハウジング１とカバープレート３を接続するものであり、１枚の板を屈曲させて形成しており、ハウジング接続面である平面９とカバープレート接続面である斜面１０が設けられている。
【００３３】
平面９はハウジング１の差込部７に挿通される。そのため、上から見ると曲線形状をしており、差込部７から抜けないように爪１１が設けられている。
【００３４】
斜面１０の下側の面には断熱材１２が固定設置され、さらに断熱材１２の表面には半田付性が良好な銅やスズによる皮膜が形成されており、図５に示すようにカバープレート３の所定位置に低融点合金１３によって接合部材２が接合される。
【００３５】
カバープレート３は熱伝導性能の良好な銅やアルミニウム等の金属板から形成される。カバープレート３は、なだらかな球面形状であり平面形状のものと比較して表面積が大きいので熱吸収効率が良く、外力に対する強度も上がる。
【００３６】
また、周縁部分は天井面に近接した位置にあることから、天井面からなだらかに盛り上がっている状態なので、突出量も椀状の従来品より少なく、外観上も突出が目立たない。
【００３７】
カバープレート３は前述のように、接合部材２、２・・・と接合した状態でハウジング１に取付けられる。接合部材２の平面９を、鍔部５に設けられている差込部７位置に配置して、カバープレート３を回転させ、差込部７の開口８に接合部材２の平面９を挿通させる。平面９は曲線形状であるので開口８に引っかかることなくスムーズに挿通することができ、平面９に設けた爪１１によって接合部材２が差込部７から抜けることを防止している。
【００３８】
続いて、実施例１のスプリンクラーヘッドカバーをスプリンクラーヘッドに取付ける際の手順について説明する。
【００３９】
まず、天井内部に埋め込まれた状態で設置されているスプリンクラーヘッドＨに、ハウジング１を装着する。スプリンクラーヘッドＨの下端にハウジング１の円筒部４上部を挿通させ、ハウジング１の鍔部５の上面が天井下面に近接する位置までハウジング１を上方に押し上げる。
【００４０】
その際、ハウジング１の突起６がスプリンクラーヘッドＨ外周の螺旋溝にあたるが、突起６は弾性を有しているので突起６が弾性により曲がるので、突起６が螺旋溝に引っかかることなくスムーズに押し込むことができる。そしてハウジング１を左右に回転させてハウジング１の突起６を螺旋溝に係止する。
【００４１】
次に、火災時のスプリンクラーヘッドの作動について説明する。
【００４２】
常時において、スプリンクラーヘッドカバーのカバープレート３の内側には、スプリンクラーヘッドＨのヒートコレクター１４が接触した状態にある。火災が発生すると、火災の熱による熱気流が天井下面を漂い、カバープレート３は熱気流より熱を吸収して低融点合金１３およびスプリンクラーヘッドＨのヒートコレクター１４に熱を伝える。
【００４３】
低融点合金１３に伝播された熱は、断熱材１２によって接合部材２には熱が伝わらない。そのためカバープレート３から伝わった熱は低融点合金１３の溶融のみに消費され、低融点合金１３の溶融を早める効果がある。
【００４４】
低融点合金１３が溶融すると、カバープレート３が接合部材２から落下して、ハウジング１内部のスプリンクラーヘッドＨが露出される。スプリンクラーヘッドＨのヒートコレクター１４に直接熱気流があたり、ヒートコレクター１４から吸収された熱によってスプリンクラーヘッドＨが作動して水を散布して消火が行われる。
【実施例２】
【００４５】
次に実施例２のスプリンクラーヘッドカバーについて図７から図９を参照して説明する。図７は実施例２のスプリンクラーヘッドカバーの断面図である。図８は図７の平面図である。図９は要部拡大断面図である。
【００４６】
実施例２のスプリンクラーヘッドカバーは、ハウジング、カバープレートから構成されるが、カバープレートは実施例１と同様であるので同符号を付して説明は省略する。
【００４７】
ハウジング２０は、実施例１と同様にスプリンクラーヘッドＨの外周溝に係止される円筒部２１と、カバープレート３が接続される鍔部２２を有する。ハウジング２０は断熱材料である樹脂により形成されており、表面には半田付性が良好な材料、具体的には銅やスズ等による皮膜が施されている。
【００４８】
円筒部２１には、複数の切欠き２３によって舌状体２４、２４・・・が形成されている。舌状体２４はハウジング２０が弾性を有する樹脂によって形成されているので、舌状体２４はある程度の弾性変形が可能である。
【００４９】
舌状体２４の内側面には、スプリンクラーヘッドＨの側面に形成されている螺旋溝と螺合可能な螺旋状の突起２５、２５・・・が形成されている。
【００５０】
螺旋状の突起２５の断面形状は、斜面を有しており下辺が水平方向に突出した形状となっているので、実施例１のハウジングと同様にスプリンクラーヘッドに取付ける際には、スプリンクラーヘッドの下端から円筒部２１を押し込むだけで設置が可能であり、設置後には下方へ引張っても突起２５の下辺がスプリンクラーヘッドＨの螺旋溝に引っかかるので抜けることがない。
【００５１】
鍔部２２は、数箇所に下面に貫通する穴２６を有する凹み２７が設けられている。凹み２７下方のカバープレート３が接触する面には、極小さな突起２８が設けられている。該突起２８によってカバープレート３の上にハウジング２０を載せた際に、カバープレート３と鍔部２２の下面との間に僅かな隙間２９が設けられる。
【００５２】
鍔部２２の下面には、カバープレート３の外力による変形防止のため補強部３０が下方に突出して設けられている。
【００５３】
次に、実施例２のスプリンクラーヘッドカバーのハウジング２０とカバープレート３との接合手順およびスプリンクラーヘッドへの取付け手順について説明する。
【００５４】
まず、ハウジング２０の凹み２７内に低融点合金片３１を入れ、カバープレート３の上にハウジング２０を載せた状態で所定温度で一定時間加熱する。すると、低融点合金片３１が溶融して穴２６を通り、カバープレート３側に流れる。
【００５５】
その際、突起２８によって鍔部２２とカバープレート３との間に僅かな隙間２９が形成されているので、その隙間２９に溶融した低融点合金３１が毛細管現象によって流れ込む。
【００５６】
低融点合金３１は、表面張力によって隙間２９にのみ留まり、カバープレート３の底面に流れ出すことはない。やがて低融点合金３１は冷えて固体となり、ハウジング２０とカバープレート３が接合される。
【００５７】
上記構成のスプリンクラーヘッドカバーを、天井内部に埋め込まれた状態で設置されているスプリンクラーヘッドＨに取付ける際には、スプリンクラーヘッドＨの下端にハウジング２０の円筒部２１上部を挿通させる。
【００５８】
すると、ハウジング２０の螺旋状突起２５がスプリンクラーヘッドＨ外周の螺旋溝にあたるが、舌状体２４の内面に設けられた突起２５は、弾性により舌状体２４が外側に押し曲げられるのでハウジング２０をさらに上方に移動させることができる。
【００５９】
ハウジング２０の鍔部２２の上面が天井下面に近接する位置までハウジング２０を上方に押し上げると、ハウジング２０の突起２５の下面がスプリンクラーヘッドＨの螺旋溝に係止される。これで取付けが完了する。
【００６０】
実施例２のスプリンクラーヘッドカバーの作動については実施例１と同様であるので説明は省略する。
【図面の簡単な説明】
【００６１】
【図１】スプリンクラーヘッドに実施例１のスプリンクラーヘッドカバーを装着した際の断面図
【図２】図２ハウジングの断面図
【図３】接合部材における（ａ）正面図、（ｂ）側面図、（ｃ）平面図
【図４】接合部材をハウジングに取付けた際の要部拡大図
【図５】カバープレートに接合部材が設置された際の平面図
【図６】火災時にカバープレートの係止が解除された状態の図
【図７】実施例２のスプリンクラーヘッドカバーの断面図
【図８】図７の平面図
【図９】要部拡大断面図
【図１０】特許文献１のスプリンクラーヘッドカバーの断面図
【図１１】特許文献２の作用説明図
【符号の説明】
【００６２】
１  ハウジング
２  接合部材
３  カバープレート
１０  接合部材のカバープレート接続面
１２  断熱材
１３  低融点合金
２０  実施例２のハウジング
２５  螺旋状の突起
２６  穴
２７  凹み
【図１】
2005270155.tif 000003
【図２】
2005270155.tif 000004
【図３】
2005270155.tif 000005
【図４】
2005270155.tif 000006
【図５】
2005270155.tif 000007
【図６】
2005270155.tif 000008
【図７】
2005270155.tif 000009
【図８】
2005270155.tif 000010
【図９】
2005270155.tif 000011
【図１０】
2005270155.tif 000012
【図１１】
2005270155.tif 000013